(57)【要約】【課題】  互いに着脱可能に係合される一対の箸を提供するものである。【解決手段】  箸本体及び前記箸本体の上部に配置されるジョイント部とからなり、前記ジョイント部と箸本体とは前記ジョイント部に設けられたピンを前記箸本体に設けられた溝に挿入することにより連結され、２個のジョイント部同士が係合されることにより、一対の箸が互いに着脱可能に係止される箸である。ジョイント部同士は、一のジョイント部の凹部に他のジョイント部の凸部を嵌合する、一のジョイント部に設けられた凹溝に他のジョイント部に設けられた突起板を嵌合する、一のジョイント部の鍵型係合部材（４７）に他のジョイント部の鍵型係合部材（４７’）を嵌合することにより、係合することができる。【選択図】    図１
2005176956.tif 000002
【特許請求の範囲】
【請求項１】
箸本体及び前記箸本体の上部に配置されるジョイント部とからなり、前記ジョイント部と前記箸本体とは前記ジョイント部に設けられたピンが前記箸本体に設けられた細孔に挿入されることにより連結され、かつ、２個のジョイント部同士が係合されることにより、一対の箸が互いに着脱可能に係止される箸。
【請求項２】
前記ジョイント部に凹部及び／又は凸部を設け、一のジョイント部の凹部に他のジョイント部の凸部が嵌合されて、２個のジョイント部が係合されることを特徴とする、請求項１記載の一対の箸が互いに着脱可能に係止される箸。
【請求項３】
一のジョイント部に設けられた凹溝に他のジョイント部に設けられた突起板が嵌合されて２個のジョイント部同士が係合されることを特徴とする、請求項１記載の一対の箸が互いに着脱可能に係止される箸。
【請求項４】
前記ジョイント部に鍵型係合部材を設け、一のジョイント部の鍵型係合部材に他のジョイント部の鍵型係合部材が嵌合されて、２個のジョイント部を係合されることを特徴とする、請求項１記載の一対の箸が互いに着脱可能に係止される箸。
【請求項５】
前記ジョイント部に図柄、文字が描かれたことを特徴とする、請求項１から請求項４のいずれかに記載の一対の箸が互いに着脱可能に係止される箸。
【発明の詳細な説明】
【技術分野】
【０００１】
この発明は、箸本体及び前記箸本体の上部に配置されるジョイント部とからなり、ジョイント部同士が係合されることにより、互いに着脱可能に係止される一対の箸に関する。
【背景技術】
【０００２】
新しい箸を購入した場合、箸には帯封紙が貼られて、一対の箸が束ねられている。帯封紙は、箸が新品で未使用であることを示すとともに、消費者にアピールしたい絵柄等を正面に揃えて表示する機能を有するものである。箸購入後は、帯封紙は取り除かれ、箸が使用される。多くの家庭においては、家族各自の箸は使用後、纏めて洗浄、乾燥され、箸立てに収納される。この場合、複数の箸がばらばらに収納されることが多い。箸を使用する際には、ばらばらに収納されている箸のなかから各自が使用する一対の箸を箸立てから取り出さなければならない。
【０００３】
帯封紙が除かれた後においても、箸が一対の箸として束ねられた状態にあれば、購入した当時の状態を再現するので、常に新しい箸を使用するという高揚した気分で箸を使用することができる。即ち、一対の箸を互いに着脱可能に係止できれば、新しい箸を使用するという高揚した気分で箸を使用することができる。
【０００４】
２本の箸を係止することは特開平６−２２８３７号公報に記載されている。即ち、特開平６−２２８３７号公報には、保管中や使用中にばらばらになった２本の箸を互いに係止する手段をもつ箸が記載されている。具体的には、箸の持ち手側に、凹凸による嵌合や磁石によって係止するものである。また、１本の箸を上下方向に分割して、分割した部分同士を連結する分割箸が、特開２００１−１４５５５０号公報、特開平８−２２４１５４号公報に記載されている。
【０００５】
【特許文献１】特開平６−２２８３７号公報
【特許文献２】特開２００１−１４５５５０号公報
【特許文献３】特開平８−２２４１５４号公報
【発明の開示】
【発明が解決しようとする課題】
【０００６】
本発明は、互いに着脱可能に係合される一対の箸を提供しようとするものである。一対に係止される箸は、常に、新しく購入した時の高揚した気分で使用できるものである。
【課題を解決するための手段】
【０００７】
本発明の要旨は、箸本体及び箸本体の上部に配置されるジョイント部とからなり、ジョイント部と箸本体とはジョイント部に設けられたピンが箸本体に設けられた細孔に挿入されることにより連結され、かつ、２個のジョイント部同士が係合されることにより、一対の箸が互いに着脱可能に係止される箸である。
【０００８】
一対の箸を互いに着脱可能に係止する機構として、以下のものがある。即ち、ジョイント部に凹部及び／又は凸部を設け、一のジョイント部の凹部に他のジョイント部の凸部が嵌合されて、２個のジョイント部が係合されることにより、一対の箸を互いに着脱可能に係止するものである。また、一のジョイント部に設けられた凹溝に他のジョイント部に設けられた突起板が嵌合されて２個のジョイント部同士が係合されることにより、一対の箸を互いに着脱可能に係止することができる。更に、ジョイント部に鍵型係合部材を設け、一のジョイント部の鍵型係合部材に他のジョイント部の鍵型係合部材が嵌合されて、２個のジョイント部を係合することにより、一対の箸を互いに着脱可能に係止することができる。そして、ジョイント部に図柄、文字を描くことができる。
【発明の効果】
【０００９】
本発明は、箸本体及び箸本体の上部に配置されるジョイント部とからなり、２個のジョイント部同士を係合することにより、一対の箸を着脱可能に係止するものである。一対の箸を対にして認識し、対にして保持し、かつ、使用時には２本の箸として供することができる。箸として使用しないときは、対にして係止した状態で保持、収納することができる。ジョイント部には、図柄や文字を描くことにより、一対の箸として他の箸と明確に区別することができ、また、ジョイント部は四角形（実際には直方体）、三角形、台形、その他多角形の形状をとることができ、これらの形状の他に、動物、植物、構築物、各種キャラクター等を模した形状をとることができる。このようにして、一対の箸として保持乃至収納する際には、常に新しく購入した時の高揚した気分を感じることができる。
【発明を実施するための最良の形態】
【００１０】
本発明のジョイント部において互いに着脱可能に係合される一対の箸を図１に示した。一対の箸１は、箸本体４、５及びジョイント部２、３から構成され、ジョイント部２、３において、互いに着脱可能に係止されている。ジョイント部２、３には、図柄や文字等を描き、更には、種々の形状をとることができる。箸本体４、５とジョイント部２、３とは、図２に示したように、ジョイント部２、３に設けられたピン１１、１２がそれぞれ箸本体４、５に設けられた細孔１３、１４に嵌合されて連結されている。ピン１１、１２は接着剤で細孔１３、１４内に接着固定される。
【００１１】
特許文献１（特開平６−２２８３７号公報）には、２本の箸を互いに着脱可能に係止する係止手段付きの箸が記載されている。２本の箸を着脱可能に係止する係止手段を有する点に関しては、特許文献１記載の発明と本発明とは一致するが、本発明においては、箸が箸本体とジョイント部とからなり、このジョイント部で着脱可能な構成となっている。この点で本発明は特許文献１記載の発明と異なる。ジョイント部を設けることにより、箸が一対であることがより鮮明になり、常に新しく購入した時の高揚した気分で箸を使用することができるものものとなる。また、本発明の箸は、一対の箸の一部を構成する２個のジョイント部に、図柄や文字等を描くこと、種々の形状をとることにより、箸が一対であることが一層強調される。引用文献１記載の箸では、一の箸と他の箸を単に係止手段で係止するのみであって、厳密な意味での一対の箸が保持されるものではない。単に２本の箸を係止するものは、係止手段が噛み合えばよいのである。これに対して本発明の箸は、ジョイント部に描かれた図柄や文字、形状等が一致しないと一対とはならないのである。更に、本発明においては、ジョイント部はジョイント部間に隙間が生じないように係止することができるが、特許文献１記載の発明では、係止した箸の間に隙間が生じるという問題がある。係止したジョイント部間（箸間）に隙間が生じると、ジョイント部に一連の図柄や文字を描くのが出来なくなり、また、一対としての形状をとることができなくなり、一対の箸としての役割を果たすことが困難になる。
【００１２】
箸本体４、５に細孔１３、１４を切るに際しては、エアチェッカー等の中心出し機能を有するアクチュエターで箸本体を保持して、箸本体の長さ方向に沿って木工ドリルを押し込むことにより箸本体４、５に細孔１３、１４を設けることができる。このようにして設けた細孔にジョイント部のピンを嵌合する。この際、接着剤を使用するのがよい。即ち、ジョイント部のピンの先端部に接着剤を塗布して、接着剤を塗布した状態でジョイント部のピンを箸本体の細孔に挿入し接着する。また、箸本体とジョイント部とを接合する接合面において、ジョイント部側の接合面を箸本体側の接合面よりも若干小さくするのがよい。これは、箸本体とジョイント部とを接着剤で接着する際に、接着剤による接合面の汚れを防止するためであり、また、ジョイント部の着脱を容易にするためである。
【００１３】
一対の箸１は、ジョイント部２、３で着脱可能に係止される。使用する際には、ジョイント部で係止を外し、２本の箸として使用することは言うまでもない。使用しないときには、一対の箸としてジョイント部で係止した状態とする。ジョイント部を係止する機構としては、図３に示したように、一のジョイント部に設けられた凹部に他のジョイント部に設けられた凸部を嵌合する機構を採用することができる。図３においては、一のジョイント部２４に凸部２６と凹部２７’をそれぞれ一個づつ、他のジョイント部２２にも凸部２７と凹部２６’をそれぞれ一個づつ設けている。一のジョイント部２４の凸部２６は、他のジョイント部２２の凹部２６’と嵌合し、一のジョイント部２４の凹部２７’には他のジョイント部２２の凸部２７が嵌合し、ジョイント部２４とジョイント部２２を着脱可能に係止する。図３においては、凸部２６（２７）と凹部２７’（２６’）とは上下方向に設けられているが、左右方向に設けてもよい。また、凸部や凹部の数は１個ずつとしているが、これに限定されるものではなく、凸部、凹部が複数あってもよいし、一のジョイント部には凸部、他のジョイント部には凹部を１個設けてもよい。
【００１４】
ジョイント部を係止する他の機構としては、図４に示したように、一のジョイント部に設けられた凹溝に他のジョイント部に設けられた突起板を嵌合する機構を採用することができる。図４においては、一のジョイント部３４に突起板３８を設け、他のジョイント部３６には凹溝３８’を設けている。一のジョイント部３４の突起板３８は、他のジョイント部３６の凹溝３８’と嵌合し、ジョイント部３４とジョイント部３６を着脱可能に係止する。図４においては、突起板３８と凹溝３８’は別々のジョイント部に設けられているが、ジョイント部両者にそれぞれ突起板と凹溝の両者を設けることもできる。この場合には、当然の事ながら、一のジョイント部の突起板と他のジョイント部の溝とが嵌号し、一のジョイント部の溝と他のジョイント部の突起板とが嵌号する。また、突起板び凹溝は係止を確実にするために、突起板及び凹溝をテーパ状にするのがよい。図４（ｂ）に示したように、突起板３８はジョイント部３４に繋がる部分の巾は小さくし、ジョイント部の外方に向いている部分（図３において左方）の巾を大きくすることができる。これに伴って、凹溝も表面よりも奥側の溝の巾が大きくなっている。一のジョイント部３４の突起板３８を他のジョイント部３６の凹溝３８’に上方から下方にスライドさせることにより、２個のジョイント部を係止することができる。ジョイント部の突起板及び凹溝はテーパ状にするのがよいが、必ずしもテーパ状にしなくてもよい。
【００１５】
ジョイント部を係止する機構としては、更に、図５に示したように、ジョイント部に入子式鍵型係合部材を設け、一のジョイント部４３の入子式鍵型係合部材４７に他のジョイント部４４の鍵型係合部材４７’を係合せしめて、２個のジョイント部を係止することもできる。入子式鍵型係合部材４７と入子式鍵型係合部材４７’は同形であり、互いに位置を１８０度ずらして係合するものである。入子式鍵型係合部材４７は、突起部材４１と突起部材４１とジョイント部４３本体との間に生じた凹所４２を形成している。同様にジョイント部４４には、突起部材４１’と突起部材４１’とジョイント部４４本体との間に生じた凹所４２’を形成している。ジョイント部４３の突起部材４１がジョイント部４４の凹所４２’に（同時に、ジョイント部４４の突起部材４１’がジョイント部４３の凹所４２に）入子のように係合することにより、２個のジョイント部を係止することができる。
【００１６】
以上一対の箸を並行に係止することを中心に説明してきたが、一対の箸を交差させて係止、例えば、互いに９０度の角度に交差させて係止することもできる。例えば、図６に示したように、一のジョイント部５２には凸部５８と溝部５７を設け、他のジョイント部５１には凸部５９と溝部６０を設け、一のジョイント部５２の凸部５８を他のジョイント部５１の溝部６０に、そして、他のジョイント部５１の凸部５９を一のジョイント部５２の溝部５７に嵌合することにより、図６（ｂ）に示したように、互いに９０度の角度に交差して係止することができる。ジョイント部が交差する角度は、溝部の長さにより適宜決めることができる。尚、図３〜図７は、ジョイント部について示したものであるが、実際にはジョイント部に箸本体が連結された状態でジョイント部で一対の箸を着脱することはいうまでもない。
【００１７】
ジョイント部の形は、図１〜図７では四角形（立方体）になっているが、これに限定されるものではない。三角形、台形、多角形、更には、動物、植物、構造物、各種キャラクター等を模した形状を採ることができる。また、ジョイント部には、図柄や文字等を描くことができる。例えば、図７に示したように、一つの図柄がジョイント部６１及びジョイント部６２に亘って描かれている。ジョイント部はその形状、ジョイント部に描かれた図柄や文字等により、その箸が一対物であることが明確になる。図７では、パンダの図柄がジョイント部が一対になっていることがわかるように描かれている。ジョイント部は、単に図柄や文字を描くのみならず、種々の形状を採ることができ、例えば、ジョイント部をパンダそのものの形状とすることもできる。また、箸に塗料を塗装して仕上げることもできる。グラビア印刷による転写フイルムを使用したり、パッドプリンティング、スクリーン印刷等により加飾することもできる。更に、塗料を糸状に盛り上げて箸本体に巻き、滑り止め効果を兼ねた装飾を施すこともできる。
【産業上の利用可能性】
【００１８】
本発明の箸は、箸本体及び前記箸本体の上部に配置されるジョイント部とからなり、ジョイント部と箸本体とはジョイント部に設けられたピンを箸本体に設けられた溝に挿入することにより接着連結され、かつ、２個のジョイント部同士が係合されることにより、一対の箸が互いに着脱可能に係止されることを特徴としている。即ち、箸を箸本体とジョイント部に分け、ジョイント部で着脱可能に一対の箸として係止することのできるものである。これは、箸を対にして保持、収納可能にすると共に、箸を購入したときの高揚した気分を箸を使用する者にもたらす効果がある。このように、本発明は、箸業界に新風を吹き込むものであり、箸関連の産業の発展に貢献するものである。
【図面の簡単な説明】
【００１９】
【図１】ジョイント部において互いに着脱可能に係合される一対の箸を示す図である。
【図２】ジョイント部と箸本体とを嵌合する状態を示す図である。
【図３】ジョイント部を係止する手段の一例を示す図である。
【図４】ジョイント部を係止する手段の他の例を示す図である。
【図５】ジョイント部を係止する手段の他の例を示す図である。
【図６】ジョイント部を交差して係止した例を示す図である。
【図７】図柄が描かれたジョイント部を示す図である。
【符号の説明】
【００２０】
１                箸
２、３            ジョイント部
４、５            箸本体
１１、１２        ピン
１３、１４        細孔
２２、２４        ジョイント部
２３、２５        ピン
２６、２７        凸部
２６’、２７’     凹部
３４、３６        ジョイント部
３５、３７        ピン
３８              突起板
３８’            凹溝
４１、４１’      突起部
４２、４２’      凹所
４３、４４        ジョイント部
４５、４６        ピン
４７、４７’      入子式鍵型係合部材
５１、５２        ジョイント部
５３、５４        箸本体
５５、５６        ピン
５７、６０        溝部
５８、５９        凸部
６１、６２        ジョイント部
６３、６４        ピン
【図１】
2005176956.tif 000003
【図２】
2005176956.tif 000004
【図３】
2005176956.tif 000005
【図４】
2005176956.tif 000006
【図５】
2005176956.tif 000007
【図６】
2005176956.tif 000008
【図７】
2005176956.tif 000009